(57)【要約】【課題】レーザビームプリンタにおいて、部品点数を増やすことなく、転写ローラ等と、電源回路基板とを確実に導通させる。【解決手段】転写ローラ等から電源回路基板１２のランド部４０に亘って配置させた、弾性導通部材によって両者を導通させる。ランド部４０は、電源回路基板１２のディッピング方向に直交する方向に複数本配列された第１ランド部４１と、各第１ランド部４１を互いに導通させるために、ディッピング方向に平行な方向に配設された第２ランド部４２と、第１ランド部４１に対してディッピング方向の下流側において、第１ランド部４１を取り囲んで配設され、第２ランド部４２と導通される第３ランド部４３等によって構成される。はんだディッピングによって、第１ランド部４１の表面には、厚みの均一で扁平なはんだパッド４５が形成され、弾性導通部材との導通状態を良好にする。【選択図】図５
2007313687.tif 000002
【特許請求の範囲】
【請求項１】
表面に感光体が塗布された感光体ドラムと、
前記感光体ドラムの表面を均一に帯電させる帯電手段と、
前記感光体の表面にレーザビームを走査させながら照射して潜像を形成する露光手段と、
前記感光体の表面のうち潜像が形成された部分にトナーを付着させてトナー像を形成する現像手段と、
前記感光体ドラムの回転方向の前記現像手段よりも下流側の所定の転写位置において、前記感光体ドラムの表面に対向するように設けられ、記録紙の表面を帯電させて、前記感光体ドラムの表面に形成されたトナー像を記録紙の上に転写させる転写手段と、
トナー像が転写された記録紙に所定の熱及び圧力を与えてトナー像を記録紙上に定着させる定着手段と、
記録紙を前記転写位置に搬送する搬送手段と、
前記感光体ドラム、帯電手段、露光手段、現像手段、転写手段、定着手段及び搬送手段に電力を供給するための電源回路基板とを備えた画像形成装置において、
前記感光体ドラム、帯電手段、露光手段、現像手段、転写手段、定着手段及び搬送手段のうち、少なくとも１つと前記電源回路基板とを導通させるために、上記各手段から該電源回路基板に対向する位置に亘って設けられた弾性を有する弾性導通部材をさらに備え、
前記電源回路基板は、前記弾性導通部材の先端部と対向する位置に、電源回路の一部を形成するランド部を有し、
前記ランド部は、前記電源回路基板のディッピング方向に直交する方向に複数本配列された第１ランド部と、各第１ランド部を互いに導通させるために、前記電源回路基板のディッピング方向に平行な方向に配設された第２ランド部と、前記第１ランド部に対して前記電源回路基板のディッピング方向の下流側において、第１ランド部を取り囲んで配設され、前記第２ランド部と導通される第３ランド部を含み、
前記第２ランド部は、第１ランド部よりも細く形成され、
前記第１ランド部及び第２ランド部の表面には、断面が扁平なはんだパッドが形成され、かつ、前記電源回路基板が溶融はんだ浴から引き上げられるとき、該第１ランド部の下流側に位置された第３ランド部にはんだが流入することにより、各第１ランド部の表面に形成されるはんだパッドの厚みが均一化され、
前記弾性導通部材の弾性力によって、該弾性導通部材の先端部がはんだパッドの側に押圧されて該弾性導通部材の先端部とはんだパッドとが接触される際、その接触面積を大きくして、該弾性導通部材の先端部とはんだパッドとの間の導通不良を防止し、
それによって、部品点数を増やすことなく、前記感光体ドラム、帯電手段、露光手段、現像手段、転写手段、定着手段及び搬送手段のうち少なくとも１つと、前記電源回路基板とを確実に導通可能としたことを特徴とする画像形成装置。
【請求項２】
電力を供給する電源回路基板を備えた電子機器において、
装置各部と前記電源回路基板とを導通させるために、該装置各部から該電源回路基板に対向する位置に亘って設けられた弾性を有する弾性導通部材をさらに備え、
前記電源回路基板は、前記弾性導通部材の先端部と対向する位置に、該電源回路基板のディッピング方向に直交する方向に複数本配列された第１ランド部と、各第１ランド部を互いに導通させるために、該電源回路基板のディッピング方向に平行な方向に配設された第２ランド部とを有し、
前記第１ランド部及び第２ランド部の表面には、断面が扁平なはんだパッドが形成され、
前記弾性導通部材の弾性力によって、該弾性導通部材の先端部がはんだパッドの側に押圧されて該弾性導通部材の先端部とはんだパッドとが接触導通され、
それによって、部品点数を増やすことなく、前記装置各部と、前記電源回路基板とを確実に導通可能としたことを特徴とする電子機器。
【請求項３】
前記第１ランド部に対して前記電源回路基板のディッピング方向の下流側において、第１ランド部を取り囲んで配設され、前記第２ランド部と導通される第３ランド部をさらに有し、前記電源回路基板が溶融はんだ浴から引き上げられるとき、該第３ランド部にはんだが流入することにより、各第１ランド部の表面に形成されるはんだパッドの厚みが均一化されることを特徴とする請求項２に記載の電子機器。
【発明の詳細な説明】
【技術分野】
【０００１】
本発明は、記録紙に画像を形成する画像形成装置、及び各部分に電力を供給する電源回路基板を備えた電子機器に関するものである。
【背景技術】
【０００２】
従来から、レーザビームプリンタにおいては、転写ローラ、帯電器、現像器等の各部分から延出されたワイヤの先端をねじ止め又ははんだ付けによって電源回路基板に接続し、転写ローラ等に電力を供給している。このような構成にあっては、ねじ止めやはんだ付けの手間が掛かりプリンタのコストアップを招来している。そこで、ねじ止めやはんだ付けを行なうことなく、転写ローラ等に電力を供給できるような構成が種々検討されている。
【０００３】
例えば、図７に示すように、転写ローラ等から電源回路基板に亘って配設された導通部材によって該各部分に電力を供給するように構成されたプリンタがある。このような構成においては、電源回路基板１１２の部品搭載面に配設されたジャンパ線１２０と導通部材１３０の先端部１３１とを接触させて両者間の導通を確保するようにしている。しかしながら、このような構成であっても、給電が必要な部分の数に応じて電源回路基板１１２にジャンパ線１２０を設けなければならないので、やはり部品点数を削減できない。
【０００４】
なお、特許文献１には、電子部品を実装するランド部の近傍に、連結部を介してダミーランド部を設けることにより、はんだの盛り上がりを抑制し、電子部品を密着状態で実装できるようにした回路基板が示されている。なお、特許文献２には、隣接する複数のはんだパッドのうち、最高位のはんだパッドを幅広に形成し、この幅広のはんだパッドをシルクによって区画することによって、はんだブリッヂを抑制する回路基板が示されている。また、特許文献３には、ランドパターン上に異なる大きさの開口部を有するマスクを配置してはんだリフローを行うことにより、高さの異なるはんだパッドを形成する回路基板が示されている。
【特許文献１】特開平１０−２９００６５号公報
【特許文献２】特開２００４−７１９９２号公報
【特許文献３】特開平６−３７４３６号公報
【発明の開示】
【発明が解決しようとする課題】
【０００５】
本発明は、上記課題を解決するためになされたものであり、部品点数を増やすことなく、転写ローラ等と、電源回路基板とを確実に導通させて、コストダウンを可能にした画像形成装置及び電子機器を提供することを目的とする。
【課題を解決するための手段】
【０００６】
上記目的を達成するために請求項１の発明は、表面に感光体が塗布された感光体ドラムと、感光体ドラムの表面を均一に帯電させる帯電手段と、感光体の表面にレーザビームを走査させながら照射して潜像を形成する露光手段と、感光体の表面のうち潜像が形成された部分にトナーを付着させてトナー像を形成する現像手段と、感光体ドラムの回転方向の現像手段よりも下流側の所定の転写位置において、感光体ドラムの表面に対向するように設けられ、記録紙の表面を帯電させて、感光体ドラムの表面に形成されたトナー像を記録紙の上に転写させる転写手段と、トナー像が転写された記録紙に所定の熱及び圧力を与えてトナー像を記録紙上に定着させる定着手段と、記録紙を転写位置に搬送する搬送手段と、感光体ドラム、帯電手段、露光手段、現像手段、転写手段、定着手段及び搬送手段に電力を供給するための電源回路基板とを備えた画像形成装置において、感光体ドラム、帯電手段、露光手段、現像手段、転写手段、定着手段及び搬送手段のうち、少なくとも１つと電源回路基板とを導通させるために、上記各手段から該電源回路基板に対向する位置に亘って設けられた弾性を有する弾性導通部材をさらに備え、電源回路基板は、弾性導通部材の先端部と対向する位置に、電源回路の一部を形成するランド部を有し、ランド部は、電源回路基板のディッピング方向に直交する方向に複数本配列された第１ランド部と、各第１ランド部を互いに導通させるために、電源回路基板のディッピング方向に平行な方向に配設された第２ランド部と、第１ランド部に対して電源回路基板のディッピング方向の下流側において、第１ランド部を取り囲んで配設され、第２ランド部と導通される第３ランド部を含み、
第２ランド部は、第１ランド部よりも細く形成され、第１ランド部及び第２ランド部の表面には、断面が扁平なはんだパッドが形成され、かつ、電源回路基板が溶融はんだ浴から引き上げられるとき、該第１ランド部の下流側に位置された第３ランド部にはんだが流入することにより、各第１ランド部の表面に形成されるはんだパッドの厚みが均一化され、弾性導通部材の弾性力によって、該弾性導通部材の先端部がはんだパッドの側に押圧されて該弾性導通部材の先端部とはんだパッドとが接触される際、その接触面積を大きくして、該弾性導通部材の先端部とはんだパッドとの間の導通不良を防止し、それによって、部品点数を増やすことなく、感光体ドラム、帯電手段、露光手段、現像手段、転写手段、定着手段及び搬送手段のうち少なくとも１つと、電源回路基板とを確実に導通可能としたものである。
【０００７】
請求項２の発明は、電力を供給する電源回路基板を備えた電子機器において、装置各部と電源回路基板とを導通させるために、該装置各部から該電源回路基板に対向する位置に亘って設けられた弾性を有する弾性導通部材をさらに備え、電源回路基板は、弾性導通部材の先端部と対向する位置に、該電源回路基板のディッピング方向に直交する方向に複数本配列された第１ランド部と、各第１ランド部を互いに導通させるために、該電源回路基板のディッピング方向に平行な方向に配設された第２ランド部とを有し、第１ランド部及び第２ランド部の表面には、断面が扁平なはんだパッドが形成され、弾性導通部材の弾性力によって、該弾性導通部材の先端部がはんだパッドの側に押圧されて該弾性導通部材の先端部とはんだパッドとが接触導通され、それによって、部品点数を増やすことなく、装置各部と、電源回路基板とを確実に導通可能としたものである。
【０００８】
請求項３の発明は、請求項２に記載の電子機器において、第１ランド部に対して電源回路基板のディッピング方向の下流側において、第１ランド部を取り囲んで配設され、第２ランド部と導通される第３ランド部をさらに有し、電源回路基板が溶融はんだ浴から引き上げられるとき、該第３ランド部にはんだが流入することにより、各第１ランド部の表面に形成されるはんだパッドの厚みが均一化されるものである。
【発明の効果】
【０００９】
請求項１の発明によれば、弾性導通部材の弾性力によって弾性導通部材の先端部が押圧されてはんだパッドと接触導通されるので、従来必要とされていたジャンパ線等が不要になり、部品点数を増やすことなく感光体ドラム等と電源回路基板とを確実に導通させることができる。これにより、画像形成装置のコストダウンを図ることができる。また、第１ランド部が、電源回路基板のディッピング方向に直交する方向に複数本配列されているので、第１ランド部及び第２ランド部の表面には、断面が扁平なはんだパッドが形成される。ここで、第２ランド部が、第１ランド部よりも細く形成されているので、第２ランド部上のはんだパッドの厚みが第１ランド部上のはんだパッドの厚みより薄くなる。これにより、第１ランド部上のはんだパッドと弾性導通部材の先端部との接触面積が大きくなり、両者の間の導通が良好とされる。また、第３ランド部が第１ランド部に対して電源回路基板のディッピング方向の下流側に配設されているので、電源回路基板が溶融はんだ浴から引き上げられるとき、第３ランド部に余分なはんだが流入し、各第１ランド部の表面に形成されるはんだパッドの厚みが均一化される。これにより、第１ランド部上のはんだパッドと弾性導通部材の先端部との間の導通が一層良好なものとされる。さらにまた、第３ランド部が、第１ランド部を取り囲んで形成されているので、電源回路基板上の僅かな空きスペースにも第３ランドを形成することができ、電源回路基板の自由度が高まるだけでなく、画像形成装置の小型化を図ることができる。
【００１０】
請求項２の発明によれば、弾性導通部材の弾性力によって弾性導通部材の先端部が押圧されてはんだパッドと接触導通されるので、従来必要とされていたジャンパ線等が不要になり、部品点数を増やすことなく感光体ドラム等と電源回路基板とを確実に導通させることができる。これにより、電子機器のコストダウンを図ることができる。また、第１ランド部が、電源回路基板のディッピング方向に直交する方向に複数本配列され、第２ランド部が、ディッピング方向に平行な方向に配設されているので、第１ランド部の表面には、断面が扁平なはんだパッドが形成される。これにより、第１ランド部上のはんだパッドと弾性導通部材の先端部との接触面積が大きくなり、両者の間の導通が良好とされる。
【００１１】
請求項３の発明によれば、第３ランド部が第１ランド部に対して電源回路基板のディッピング方向の下流側に配設されているので、電源回路基板が溶融はんだ浴から引き上げられるとき、第３ランド部に余分なはんだが流入し、各第１ランド部の表面に形成されるはんだパッドの厚みが均一化される。これにより、第１ランド部上のはんだパッドと弾性導通部材の先端部との間の導通が一層良好なものとされる。さらにまた、第３ランド部が、第１ランド部を取り囲んで形成されているので、電源回路基板上の僅かな空きスペースにも第３ランドを形成することができ、電源回路基板の自由度が高まるだけでなく、電子機器の小型化を図ることができる。
【発明を実施するための最良の形態】
【００１２】
本発明に係る画像形成装置について図面を参照して説明する。図１は、画像形成装置の一構成例であるレーザビームプリンタ１を示している。レーザビームプリンタ１は、表面に感光体が塗布されている感光体ドラム２、クリーナ３、帯電器（帯電手段）４、レーザスキャンユニット（露光手段）５、現像ブラシ（現像手段）６、転写ローラ（転写手段）７、転写ローラ７に対して記録紙Ｐの搬送方向の下流側に配置されている定着ローラ（定着手段）８、記録紙Ｐが装填される給紙トレイ（記録紙保持手段）９、プリント済みの記録紙Ｐが堆積される排紙部１０、給紙トレイ９に装填された記録紙Ｐを感光体ドラム２の位置まで搬送する記録紙搬送機構（搬送手段）１１、装置各部に電力を供給する電源回路基板１２（図２参照）等によって構成されている。上記各部品は、レーザビームプリンタ１の底部等に配されている金属製のフレーム１３に装着されている。また、フレーム１３には、上記各部品を覆い、レーザビームプリンタ１の外装を形成するカバー１４が装着され、その背面側には、記録紙搬送機構１１に詰まった記録紙Ｐを除去するため又は後述するトナーカートリッジ１７を交換するためのドア部材１５が開閉自在に設けられている。
【００１３】
クリーナ３は、感光体ドラム２の表面に付着している１行程（１回転）前のトナー及び紙粉を除去し、ドラム表面を清掃する。帯電器４は、クリーナ３によって清掃された感光体ドラム２の表面を均一に帯電させる。レーザスキャンユニット５は、帯電器４によって帯電された感光体ドラム２の表面にレーザビームＬを走査させながら照射して潜像を形成する。現像ブラシ６は、トナーが充填されたトナーカートリッジ１７に装着されており、感光体ドラム２の表面のうち潜像が形成された部分にトナーを付着させてトナー像を形成する。転写ローラ７は、感光体ドラム２の表面に対向するように設けられ、記録紙Ｐを感光体ドラム２の表面に押圧しながら記録紙Ｐの表面を帯電させて、感光体ドラム２の表面に形成されたトナー像を記録紙Ｐの上に転写させる。転写に必要な電力は、電源回路基板１２から供給される。転写ローラ７によって表面に画像が形成された記録紙Ｐは、定着ローラ８に搬送される。定着ローラ８は、対向して配置された押圧ローラ１６と共に記録紙Ｐを挟みつつ熱と圧力を加えてトナーを定着させる。トナー定着のための熱は、定着ローラ８に内蔵されているヒータ（例えば、ハロゲンランプ等）から供給される。ヒータには、電源回路基板１２によって発生された定着電圧が印加される。記録紙搬送機構１１は、給紙トレイ９に装填された記録紙Ｐを送出するピックローラ２１を有している。ピックローラ２１は、回転軸２２を介してフレーム部材２３に回転自在に支持されている。
【００１４】
図２は、転写ローラ７、電源回路基板１２及びそれらの近傍の構成を示している。転写ローラ７の端縁には、転写のため電力を供給するための給電端子７ａが装着されている。また、給電端子７ａと、電源回路基板１２の間には、金属製の棒材を加工して形成された弾性導通部材３０が装着されている。
【００１５】
図３は、弾性導通部材３０と、その周辺の構成を示している。弾性導通部材３０は、給電端子７ａと当接される端子当接部３０ａと、レーザビームプリンタ１のフレーム１３の一部に結合された支持部材５０によって回動自在に支持されるねじりコイルばね部３０ｂと、電源回路基板１２に当接されるコイルばね部（先端部）３０ｃを有している。ねじりコイルばね部３０ｂ及びコイルばね部３０ｃによって、給電端子７ａと端子当接部３０ａとの接触導通及び電源回路基板１２に形成されたはんだパッド４５とコイルばね部３０ｃとの接触導通に必要な弾性が弾性導通部材３０に付与される。図３においては、転写ローラ７と電源回路基板１２との接続に関してのみ示しているが、帯電器４、レーザスキャンユニット５、現像ブラシ６、定着ローラ８、及び記録紙搬送機構１１も同等の構成で電源回路基板１２に接続される。
【００１６】
プリント動作時のレーザビームプリンタ１においては、特に転写ローラ７に対して約−２０００Ｖ前後の高電圧を印加する必要があるため、良好な通電特性を得るには、一般に弾性導通部材３０とはんだパッドとの接触面積を大きく確保する必要がある。ところが、単に電源回路基板１２に形成されるランド部の面積（半径）を上記高電圧に対応するように大きく設定すると、その上に形成されるはんだパッドは表面張力によって高く盛り上がり、その結果、弾性導通部材３０とはんだパッドとの接触面積は、却って小さくなってしまう。そこで、本実施の形態においては、ランド部４０を以下に示すような形状とすることにより、弾性導通部材３０とはんだパッド４５との接触面積を大きくしている。
【００１７】
図４は、電源回路基板１２に形成されたプリント配線パターンの一例を示している。また、図５は、コイルばね部３０ｃが当接されるはんだパッド４５を示している。また、図６は、はんだパッド４５とコイルばね部３０ｃとの接触状態を示している。電源回路基板１２は、転写ローラ７等に電力を供給するための複数のランド部４０を有している。各ランド部４０は、図３に示すように、弾性導通部材３０のコイルばね部３０ｃと対向する位置に配設されている。
【００１８】
ランド部４０は、電源回路基板１２のディッピング方向に直交する方向に複数本配列された第１ランド部４１と、各第１ランド部４１を互いに導通させるために、ディッピング方向に平行な方向に配設された第２ランド部４２と、第１ランド部４１に対してディッピング方向の下流側において、第１ランド部４１を取り囲んで配設され、第２ランド部４２と導通される第３ランド部４３等によって構成されている。なお、ディッピング方向とは、電源回路基板１２を溶融はんだ浴に浸漬させてはんだディッピングを行う際、電源回路基板１２に対しててはんだが相対的に流れる方向、すなわち、溶融はんだ浴中で電源回路基板１２が水平方向に移動される方向とは逆の方向をいうものとする。本実施形態では、第１ランド部４１の全体の輪郭は、コイルばね部３０ｃに対応するように、円形を基調として形成されており、これに伴い、第３ランド部４３は円弧状に形成されている。ランド部４０をこのような形状とすることにより、限られた電源回路基板１２のスペースの中に効率よくランド部４０を配設することができる。
【００１９】
また、第２ランド部４２は、第１ランド部４１よりも細く形成されている。そのため、図６に示すように、第２ランド部４２の表面に形成されるはんだパッド４５の厚みは、第１ランド部４１の表面に形成されるものよりも薄くなり、第２ランド部４２の表面に形成されるはんだパッド４５とコイルばね部３０ｃとの接触に影響を及さない。また、電源回路基板１２が溶融はんだ浴から引き上げられるとき、一般に、複数の第１ランド部４１のうち、下流側の第１ランド部４１ａのはんだパッド４５が厚く形成される傾向がある。そこで、本実施形態においては、第３ランド部４３を第１ランド部４１ａに対してさらに下流側に設けることにより、下流側の第１ランド部４１ａの上の余分なはんだを第３ランド部４３に流出させる。これにより、各第１ランド部４１の表面に形成されるはんだパッド４５の厚みが均一化され、図６に示すように、コイルばね部３０ｃとはんだパッド４５とが複数部分で接触され、その接触面積を大きく確保できるようになる。
【００２０】
以上のように、本実施形態のレーザビームプリンタ１によれば、ねじりコイルばね部３０ｂ及びコイルばね部３０ｃの弾性力によって弾性導通部材３０の先端部、すなわちコイルばね部３０ｃがはんだパッド４５と接触導通されるので、従来必要とされていたジャンパ線１２０（図７参照）等が不要になり、部品点数を増やすことなく転写ローラ７等と電源回路基板１２とを確実に導通させることができる。これにより、レーザビームプリンタ１のコストダウンを図ることができる。また、第１ランド部４１が、電源回路基板１２のディッピング方向に直交する方向に複数本配列されているので、第１ランド部４１及び第２ランド部４２の表面には、断面が扁平なはんだパッド４５が形成される。ここで、第２ランド部４２が、第１ランド部４１よりも細く形成されているので、第２ランド部４２の上のはんだパッド４５の厚みが第１ランド部４１の上のはんだパッド４５の厚みより薄くなる。これにより、第１ランド部４１の上のはんだパッド４５とコイルばね部３０ｃとの接触面積が大きくなり、両者の間の導通が良好とされる。また、第３ランド部４３が第１ランド部４３に対して電源回路基板１２のディッピング方向の下流側に配設されているので、電源回路基板１２が溶融はんだ浴から引き上げられるとき、第３ランド部４３に余分なはんだが流入し、各第１ランド部４１の表面に形成されるはんだパッド４５の厚みが均一化される。これにより、第１ランド部４１の上のはんだパッド４５とコイルばね部３０ｃとの間の導通が一層良好なものとされる。さらにまた、第３ランド部４３が、第１ランド部４１を取り囲んで形成されているので、電源回路基板１２の上の僅かな空きスペースにも第３ランド４３を形成することができ、電源回路基板１２の自由度が高まるだけでなく、レーザビームプリンタ１の小型化を図ることができる。
【００２１】
なお、本発明は上記実施形態の構成に限られることなく、少なくとも電源回路基板１２のディッピング方向に直交する方向に複数本配列された第１ランド部４１と、各第１ランド部４１を互いに導通させるために、ディッピング方向に平行な方向に配設された第２ランド部４２とによってランド部４０が形成され、このランド部４０の表面に形成されたはんだパッド４５と弾性導通部材３０とが接触導通される構成であればよい。また、本発明は、種々の変形が可能であり、例えば、レーザビームプリンタ１に限られることなく、レーザビーム方式の複写機やインクジェットプリンタ等の他の画像形成装置は言うに及ばず、一般の電子機器にも広く適用可能である。また、ランド部４０の個数、位置、並びに第１ランド部４１及び第２ランド部４２の形状、個数は、図４に示した例に限られない。
【図面の簡単な説明】
【００２２】
【図１】本発明の一実施形態によるレーザビームプリンタの構成を示す図。
【図２】同プリンタの転写ローラ、電源回路基板及びそれらの近傍の構成を示す斜視図。
【図３】同転写ローラと電源回路基板とを導通させる弾性導通部材及びその周辺の構成を示す斜視図。
【図４】同電源回路基板に形成されたプリント配線パターンの一例を示す平面図。
【図５】同電源回路基板のランド部に形成されるはんだパッドの形状を示す斜視図。
【図６】同はんだパッドと弾性導通部材との接触状態を示す側面図。
【図７】従来のレーザビームプリンタの電源回路基板に形成されたジャンパ線と弾性導通部材との接触状態を示す断面図。
【符号の説明】
【００２３】
１    レーザビームプリンタ
２    感光体ドラム
４    帯電器（帯電手段）
５    レーザスキャンユニット（露光手段）
６    現像ブラシ（現像手段）
７    転写ローラ（転写手段）
８    定着ローラ（定着手段）
９    給紙トレイ
１１    記録紙搬送機構（搬送手段）
１２    電源回路基板
３０    弾性導通部材
４０    ランド部
４１    第１ランド部
４２    第２ランド部
４３    第３ランド部
４５    はんだパッド
【図１】
2007313687.tif 000003
【図２】
2007313687.tif 000004
【図３】
2007313687.tif 000005
【図４】
2007313687.tif 000006
【図５】
2007313687.tif 000007
【図６】
2007313687.tif 000008
【図７】
2007313687.tif 000009